(57)【要約】      （修正有）【課題】コマセカゴの下側にハリスを出すことが可能で、手指を汚すことなく、容易かつ綺麗にコマセを掬い取ることができるコマセカゴを提供する。【解決手段】オモリ４と釣り糸接続用アーチ線３を有すコマセカゴを形成する円筒形状の網目状のカゴ本体２の側面の垂直方向に、ハリス装着穴８を有し下端に向けて狭くなる斜め形状の取っ手６を設け、上端開口部５は、この取っ手６の反対面が高くなる斜め形状とし、斜め形状の先端部７については水平方向、垂直方向ともに、円弧形状ではなく平坦面を設けた構成からなる。取っ手６を摘み、斜め形状の先端部７でコマセを掬うことで、手指を汚すことなく、容易かつ綺麗に掬い取ることができ、取っ手６から下側にハリスを出すこともできる。また、下端に向けて狭くなる斜め形状の取っ手６により、コマセ充填用の吸い込みバケツ使用時でも円滑な充填が行える。【選択図】図２
0003145405.tif 000002
【実用新案登録請求の範囲】
【請求項１】
カゴ本体の側面に、垂直方向に取っ手が設けてある釣り用コマセカゴ。
【請求項２】
請求項１で記載した取っ手が、下端に向けて狭くなる斜め形状を特徴とする請求項１に記載の釣り用コマセカゴ。
【請求項３】
円筒形状のカゴ本体の上端の開口部を、請求項１で記載した取っ手の反対面が高くなる斜め形状とし、斜め形状の先端部については水平方向、垂直方向ともに、円弧形状ではなく、平坦面を設けたことを特徴とした変形円筒形状の請求項１に記載の釣り用コマセカゴ。
【請求項４】
請求項１で記載した取っ手の下部に、ハリスを装着できる小口径の穴を設けたことを特徴とする請求項１に記載の釣り用コマセカゴ。
【考案の詳細な説明】
【技術分野】
【０００１】  本考案は、堤防その他におけるサビキ釣り等に使用して便利な釣り用コマセカゴの構造に関するものである。
【背景技術】
【０００２】  従来から防波堤等で魚を釣る方法として、コマセカゴ、仕掛け、道糸等の道具を用いたサビキ釣りが行われてきた。コマセカゴには魚を集めるためのアミエビ等のコマセを充填し、水中で上下させることによりコマセを放出し、魚を集めて釣果を向上させる役割がある。【０００３】  コマセカゴにコマセを詰める方法としては、バケツ内部にスリット形状を有するコマセ充填用の吸い込みバケツに流動性を持たせたコマセを入れ、これにコマセカゴを沈めて引き上げる方法が最も簡単で、手指も汚さない方法である。【０００４】  しかし、コマセ充填用の吸い込みバケツを所有しない人、或は釣り場に持って行かなかった人ついては、スプーン等で掬い上げるか、網目状のカゴ本体を直接摘んで掬うか、手指でコマセを直接摘んで詰めるしかなかった。【０００５】  また、一般に下カゴ式と呼ばれる釣り方に用いられるコマセカゴには、道糸から来る仕掛けを装着する釣り糸接続用アーチ線はコマセカゴ上端に存在しても、コマセカゴより下方向に出すハリスの装着部は存在しなかった。
【考案の開示】
【考案が解決しようとする課題】
【０００６】  前述したように、コマセをスプーン等で掬い上げたり、網目状のカゴ本体を直接摘んで掬ったり、手指でコマセを直接摘んで詰めた場合、悪臭を放つコマセで手指が汚れたり、コマセが充填し難い等の問題があった。【０００７】  また、従来の下カゴ式に用いられるコマセカゴには、コマセカゴより下方向に出すハリスが装着できず、釣り方が制限されるという問題があった。【０００８】  本考案はこれらの問題を解決しようとするものである。
【課題を解決するための手段】
【０００９】  本考案は、網目状のカゴ本体の側面に、垂直方向に取っ手を設け、この取っ手を摘んでコマセを掬うことで問題を解決する。また、この取っ手は下端に向けて狭くなる斜め形状を特徴としている。【００１０】  本考案の釣り用コマセカゴ本体の上端の開口部は、前述した取っ手の反対面が高くなる斜め形状を有し、斜め形状の先端部については水平方向、垂直方向ともに、円弧形状ではなく、平坦面を設けてある変形円筒形状である。この平坦面を有す斜め形状の先端部でコマセを掬うことで問題を解決する。【００１１】  本考案の釣り用コマセカゴの取っ手の下部に、ハリスが装着できる小口径の穴が設けてあることで問題を解決する。
【考案の効果】
【００１２】  前述したように、本考案の釣り用コマセカゴは、従来のコマセカゴのように網目状のカゴ本体を摘むのではなく、取っ手を摘んでコマセを掬うことができるため、手指を汚さず、容易にコマセを掬うことができ非常に便利である。【００１３】  また、本考案の釣り用コマセカゴは、従来のコマセカゴとは異なり、平坦面を有す斜め形状の先端部でコマセを掬うことができるため、掬い取りが容易で、かつ、平坦面を有すことにより、コマセを残さず綺麗に掬い取ることができ非常に便利である。【００１４】  また、本考案の釣り用コマセカゴは、取っ手の下部にハリスが装着できるため、コマセカゴより下方向にハリスを出すことができ、釣り方のバリエーションを増やすことができる。
【考案を実施するための最良の形態】
【００１５】  底板を有する円筒形状の網目状のカゴ本体の側面に、下端に向けて狭くなる斜め形状を特徴とした、ハリス装着穴を有す、網目状ではない強度のある取っ手を設ける。下端に向けて狭くなる斜め形状の取っ手は、広く普及されているバケツ内部にスリット形状を有するコマセ充填用の吸い込みバケツに、コマセカゴを沈めて引き上げる方法を円滑に行うために有効な形状であり、取っ手を摘んでコマセを掬う方法と、コマセ充填用の吸い込みバケツを用いた方法の双方が円滑に行える形状である。【００１６】  底板を有する円筒形状の網目状のカゴ本体の開口部を、取っ手の反対面が高くなる斜め形状とし、斜め形状の先端部については水平方向、垂直方向ともに、円弧形状ではなく、平坦面を設けた変形円筒形状とする。コマセを掬い取るための、この平坦面を有す斜め形状の先端部は、強度が求められるため網目状でないことが望ましい。【００１７】  上述した構造は、プラスチック製等による一体型であることが望ましい。
【実施例】
【００１８】  以下、添付図面に従って一実施例を説明する。【００１９】  図１は本考案の釣り用コマセカゴの斜視図であり、オモリ４と釣り糸接続用アーチ線３を有すコマセカゴを形成する円筒形状の網目状のカゴ本体２の側面の垂直方向に取っ手６を設けてある。この取っ手６は、図１及び本考案の釣り用コマセカゴの側面図である図４に示す通り下端に向けて狭くなる斜め形状であり、ハリス装着穴８を有し、コマセを掬う際に強度が求められるため、網目状のカゴ本体２とは異なり網目状ではない構造とした。【００２０】  本考案の釣り用コマセカゴの上端開口部５は、図１及び図４に示す通り、取っ手６の反対面が高くなる斜め形状とし、図１及び本考案の釣り用コマセカゴの水平方向の断面図である図５に示す通り、斜め形状の先端部７については水平方向、垂直方向ともに、円弧形状ではなく、平坦面を設けてある。また、上端開口部５の斜め形状の部分は、コマセを掬う際の強度が求められるため、網目状のカゴ本体２とは異なり網目状ではない構造とした。【００２１】  図３は従来の釣り用コマセカゴの斜視図であるが、取っ手がないため、網目状のカゴ本体２を直接摘んで手指を汚しながらコマセを充填するしかなく、また、上端開口部５が水平であるため、コマセカゴで直接コマセを掬う際も容易には掬えない形状である。【００２２】  これに対し、図２は本考案の釣り用コマセカゴの使用状態を示す斜視図であるが、取っ手６を摘み、手指を汚さずコマセを掬い取ることができる。また、この取っ手６はハリス装着穴８を有し、コマセカゴの下側にハリスを出すことも可能である。【００２３】  また、上端開口部５が、取っ手６の反対面が高くなる斜め形状であり、斜め形状の先端部７については水平方向、垂直方向ともに、円弧形状ではなく、平坦面を設けてあるため、丁度、掃除に用いるチリトリのように、コマセを容易に掬い取ることが可能で、かつ、コマセを残さず綺麗に掬い取ることができる。【００２４】  本考案の釣り用コマセカゴの一実施例は前述の如き構成からなるものであり、コマセカゴの下側にハリスを出すことが可能で、手指を汚すことなく、容易かつ綺麗にコマセを掬い取ることができる非常に便利な釣り用コマセカゴである。
【図面の簡単な説明】
【００２５】
【図１】本考案の釣り用コマセカゴの斜視図である。
【図２】本考案の釣り用コマセカゴの使用状態を示す斜視図である。
【図３】従来の釣り用コマセカゴの斜視図である。
【図４】本考案の釣り用コマセカゴの側面図である。
【図５】本考案の釣り用コマセカゴの水平方向の断面図である。
【符号の説明】
【００２６】１  本考案に係る釣り用コマセカゴ
２  網目状のカゴ本体
３  釣り糸接続用アーチ線
４  オモリ
５  上端開口部
６  取っ手
７  斜め形状の先端部
８  ハリス装着穴
９  従来の釣り用コマセカゴ
【図１】
0003145405.tif 000003
【図２】
0003145405.tif 000004
【図３】
0003145405.tif 000005
【図４】
0003145405.tif 000006
【図５】
0003145405.tif 000007